(57)【要約】【課題】イベント開催やイベント参加の費用や時間等を節約することができるイベント実施支援サービスシステム及びイベントサービスセンタ用機器並びにコンピュータ・ソフトウエアを提供する。【解決手段】ネットワーク網５を介してイベント実施者用機器１及びイベント参加者用機器３と接続されるイベントサービスセンタ用機器２を備え、イベント実施者のイベント実施を支援サービスするイベント実施支援サービスシステムにおいて、イベントサービスセンタ用機器２は、イベント実施者用機器からのイベント実施申込みを受付ける機能、イベント参加者用機器からの参加申込みを受付ける機能及びイベント実施者用機器からのイベント参加者への返答品送付申込みを受付ける機能を有する。【選択図】　　　　図１
2004118273.tif 000002
【特許請求の範囲】
【請求項１】
ネットワーク網を介してイベント実施者用機器及びイベント参加者用機器と接続されるイベントサービスセンタ用機器を備え、イベント実施者のイベント実施を支援サービスするイベント実施支援サービスシステムにおいて、
前記イベントサービスセンタ用機器は、イベント実施者用機器からのイベント実施申込みを受付ける機能、イベント参加者用機器からの参加申込みを受付ける機能及びイベント実施者用機器からのイベント参加者への返答品送付申込みを受付ける機能を有することを特徴とするイベント実施支援サービスシステム。
【請求項２】
請求項１記載のイベント実施支援サービスシステムにおいて、
上記イベントサービスセンタ用機器は、イベント実施者用機器からのイベント情報をＤＢに登録する機能を有することを特徴とするイベント実施支援サービスシステム。
【請求項３】
請求項２記載のイベント実施支援サービスシステムにおいて、
上記イベントサービスセンタ用機器は、ＤＢに登録したイベント情報を表示する機能を有することを特徴とするイベント実施支援サービスシステム。
【請求項４】
請求項１〜３のいずれか１項に記載のイベント実施支援サービスシステムにおいて、
上記イベントサービスセンタ用機器は、イベント実施者のパスワード又は自動割付けされたＩＤをＤＢに登録する機能を有することを特徴とするイベント実施支援サービスシステム。
【請求項５】
請求項４記載のイベント実施支援サービスシステムにおいて、
上記イベントサービスセンタ用機器は、自動割付けされたＩＤをイベント実施者用機器に通知する機能を有することを特徴とするイベント実施支援サービスシステム。
【請求項６】
請求項１記載のイベント実施支援サービスシステムにおいて、
上記イベントサービスセンタ用機器は、イベント実施者用機器からの返答品自動送付指定を受付ける機能及びイベント参加者への返答品送付を指示する機能を有することを特徴とするイベント実施支援サービスシステム。
【請求項７】
請求項６記載のイベント実施支援サービスシステムにおいて、
上記イベントサービスセンタ用機器は、イベント参加申込金の特定比率に応じた返答品を選定する機能を有することを特徴とするイベント実施支援サービスシステム。
【請求項８】
請求項１〜７のいずれか１項に記載のイベント実施支援サービスシステムにおいて、
上記イベントサービスセンタ用機器は、イベント参加者用機器からの送金申込を受付ける機能を有することを特徴とするイベント実施支援サービスシステム。
【請求項９】
請求項８記載のイベント実施支援サービスシステムにおいて、
上記イベントサービスセンタ用機器は、イベント参加者用機器に指定振込み先への送金を指示する機能を有することを特徴とするイベント実施支援サービスシステム。
【請求項１０】
請求項８又は９に記載のイベント実施支援サービスシステムにおいて、
上記イベントサービスセンタ用機器は、イベント実施者用機器にイベント参加者からの送金内容を通知する機能を有することを特徴とするイベント実施支援サービスシステム。
【請求項１１】
請求項１０記載のイベント実施支援サービスシステムにおいて、
上記イベントサービスセンタ用機器は、イベント実施者用機器からの送金受領確認を受付ける機能及びイベント参加者用機器へイベント実施者の送金受領確認を通知する機能を有することを特徴とするイベント実施支援サービスシステム。
【請求項１２】
請求項１記載のイベント実施支援サービスシステムにおいて、
上記イベントサービスセンタ用機器は、イベント実施者用機器へイベント実施料金を請求する機能を有することを特徴とするイベント実施支援サービスシステム。
【請求項１３】
請求項１２記載のイベント実施支援サービスシステムにおいて、
上記イベントサービスセンタ用機器は、イベント実施料金を支払ったイベント実施者に関連するイベント情報をＤＢから削除する機能を有することを特徴とするイベント実施支援サービスシステム。
【請求項１４】
ネットワーク網を介してイベント実施者用機器及びイベント参加者用機器と接続され、イベント実施者のイベント実施を支援サービスするイベント実施支援サービスシステムに使用されるイベントサービスセンタ用機器であって、
イベント実施者用機器からのイベント実施申込みを受付ける機能、イベント参加者用機器からの参加申込みを受付ける機能及びイベント実施者用機器からのイベント参加者への返答品送付申込みを受付ける機能を有することを特徴とするイベントサービスセンタ用機器。
【請求項１５】
ネットワーク網を介してイベント実施者用機器及びイベント参加者用機器と接続され、イベント実施者のイベント実施を支援サービスするイベント実施支援サービスシステムに使用されるイベントサービスセンタ用機器のコンピュータ・ソフトウエアであって、
イベント実施者用機器からのイベント実施申込みを受付ける機能、イベント参加者用機器からの参加申込みを受付ける機能及びイベント実施者用機器からのイベント参加者への返答品送付申込みを受付ける機能をコンピュータに実現させるプログラムからなるコンピュータ・ソフトウエア。
【発明の詳細な説明】
【０００１】
【発明の属する技術分野】
本発明は、イベント実施支援サービスシステム及びイベントサービスセンタ用機器並びにコンピュータ・ソフトウエアであり、ネットワークを介してイベント実施者用機器及びイベント参加者用機器と接続されるイベントサービスセンタ用機器を備え、イベント実施者のイベント実施を支援サービスするシステムに関する。
【０００２】
【従来の技術】
各種イベントが開催されているが、従来、イベント実施者は、イベント開催の広告費用等が高額になり、また、イベント参加者への返礼送付等に手間がかかっていた。また、イベント参加者は、参加したいイベントの開催を捜すコストや時間がかかり、そして、参加の申込みや送金に多大な労力を要していた。
【０００３】
【発明が解決しようとする課題】
本発明は、従来の問題を解決するものであり、イベント開催やイベント参加の費用や時間等を節約することができるイベント実施支援サービスシステム及びイベントサービスセンタ用機器並びにコンピュータ・ソフトウエアを提供することを目的とする。
【０００４】
【課題を解決するための手段】
本発明は、ネットワーク網を介してイベント実施者用機器及びイベント参加者用機器と接続されるイベントサービスセンタ用機器を備え、イベント実施者のイベント実施を支援サービスするイベント実施支援サービスシステムにおいて、前記イベントサービスセンタ用機器は、イベント実施者用機器からのイベント実施申込みを受付ける機能、イベント参加者用機器からの参加申込みを受付ける機能及びイベント実施者用機器からのイベント参加者への返答品送付申込みを受付ける機能を有するイベント実施支援サービスシステムである。
【０００５】
また、本発明は、上記イベントサービスセンタ用機器は、イベント実施者用機器からのイベント情報をＤＢに登録する機能を有するイベント実施支援サービスシステムである。
【０００６】
そして、本発明は、上記イベントサービスセンタ用機器は、ＤＢに登録したイベント情報を表示する機能を有するイベント実施支援サービスシステムである。
【０００７】
更に、本発明は、上記イベントサービスセンタ用機器は、イベント実施者のパスワード又は自動割付けされたＩＤをＤＢに登録する機能を有するイベント実施支援サービスシステムである。
【０００８】
また、本発明は、上記イベントサービスセンタ用機器は、自動割付けされたＩＤをイベント実施者用機器に通知する機能を有するイベント実施支援サービスシステムである。
【０００９】
そして、本発明は、上記イベントサービスセンタ用機器は、イベント実施者用機器からの返答品自動送付指定を受付ける機能及びイベント参加者への返答品送付を指示する機能を有するイベント実施支援サービスシステムである。
【００１０】
更に、本発明は、上記イベントサービスセンタ用機器は、イベント参加申込金の特定比率に応じた返答品を選定する機能を有するイベント実施支援サービスシステムである。
【００１１】
また、本発明は、上記イベントサービスセンタ用機器は、イベント参加者用機器からの送金申込を受付ける機能を有するイベント実施支援サービスシステムである。
【００１２】
そして、本発明は、上記イベントサービスセンタ用機器は、イベント参加者用機器に指定振込み先への送金を指示する機能を有するイベント実施支援サービスシステムである。
【００１３】
更に、本発明は、上記イベントサービスセンタ用機器は、イベント実施者用機器にイベント参加者からの送金内容を通知する機能を有するイベント実施支援サービスシステムである。
【００１４】
また、本発明は、上記イベントサービスセンタ用機器は、イベント実施者用機器からの送金受領確認を受付ける機能及びイベント参加者用機器へイベント実施者の送金受領確認を通知する機能を有するイベント実施支援サービスシステムである。
【００１５】
そして、本発明は、上記イベントサービスセンタ用機器は、イベント実施者用機器へイベント実施料金を請求する機能を有するイベント実施支援サービスシステムである。
【００１６】
更に、本発明は、上記イベントサービスセンタ用機器は、イベント実施料金を支払ったイベント実施者に関連するイベント情報をＤＢから削除する機能を有するイベント実施支援サービスシステムである。
【００１７】
また、本発明は、ネットワーク網を介してイベント実施者用機器及びイベント参加者用機器と接続され、イベント実施者のイベント実施を支援サービスするイベント実施支援サービスシステムに使用されるイベントサービスセンタ用機器であって、イベント実施者用機器からのイベント実施申込みを受付ける機能、イベント参加者用機器からの参加申込みを受付ける機能及びイベント実施者用機器からのイベント参加者への返答品送付申込みを受付ける機能を有するイベントサービスセンタ用機器である。
【００１８】
そして、本発明は、ネットワーク網を介してイベント実施者用機器及びイベント参加者用機器と接続され、イベント実施者のイベント実施を支援サービスするイベント実施支援サービスシステムに使用されるイベントサービスセンタ用機器のコンピュータ・ソフトウエアであって、イベント実施者用機器からのイベント実施申込みを受付ける機能、イベント参加者用機器からの参加申込みを受付ける機能及びイベント実施者用機器からのイベント参加者への返答品送付申込みを受付ける機能をコンピュータに実現させるプログラムからなるコンピュータ・ソフトウエアである。
【００１９】
【発明の実施の形態】
本発明の実施の形態を説明する。
本発明のイベント実施支援サービスシステム及びイベントサービスセンタ用機器の実施例について、図１〜図７を用いて説明する。図１は、実施例のイベント実施支援サービスシステムの説明図である。図２は、実施例におけるイベント実施支援サービス処理の一例の説明図である。図３は、実施例におけるイベント実施者登録時の処理の一例の説明図である。図４は、実施例におけるイベント参加者の送金時の処理の一例の説明図である。図５は、実施例におけるイベント実施者の受領確認時の処理の一例の説明図である。図６は、実施例における返答品送付時の処理の一例の説明図である。図７は、実施例におけるイベントサービスセンタの清算処理の一例の説明図である。
【００２０】
本実施例のイベント実施支援サービスシステムは、図１に示すように、イベントサービスセンタ用機器２を備えている。イベントサービスセンタ用機器２は、ネットワーク網５を介して、イベント実施者用機器１、イベント参加者用機器３及び料金清算センタ用機器４と接続されている。
【００２１】
イベントサービスセンタ用機器２は、例えばサーバからなり、イベントサービスセンタに設置される。イベントサービスセンタは、イベント実施者のイベント実施を支援するサービスを行い、イベント参加者からのイベント参加を受付ける。
【００２２】
イベントサービスセンタ用機器２は、（１）イベント実施者用機器からのイベント実施申込みを受付ける機能、（２）イベント参加者用機器からの参加申込みを受付ける機能、（３）イベント実施者用機器からのイベント参加者への返答品送付申込みを受付ける機能を有する。また、（４）イベント実施者用機器からのイベント情報をＤＢに登録する機能、（５）ＤＢに登録したイベント情報を表示する機能、（６）イベント実施者のパスワード又は自動割付けされたＩＤをＤＢに登録する機能、（７）自動割付けされたＩＤをイベント実施者用機器に通知する機能、（８）イベント実施者用機器からの返答品自動送付指定を受付ける機能、（９）イベント参加者への返答品送付を指示する機能、（１０）イベント参加申込金の特定比率に応じた返答品を選定する機能、（１１）イベント参加者用機器からの送金申込を受付ける機能、（１２）イベント参加者用機器に指定振込み先への送金を指示する機能、（１３）イベント実施者用機器にイベント参加者からの送金内容を通知する機能、（１４）イベント実施者用機器からの送金受領確認を受付ける機能、（１５）イベント参加者用機器へイベント実施者の送金受領確認を通知する機能、（１６）イベント実施者用機器へイベント実施料金を請求する機能、（１７）イベント実施料金を支払ったイベント実施者に関連するイベント情報をＤＢから削除する機能のうちの１又は２以上の機能を有するのが好ましい。
【００２３】
イベント実施者用機器１は、例えばパソコンであり、イベント実施を希望する者又は実施者が扱う。イベント参加者用機器３は、例えばパソコンであり、イベント参加希望者又は参加者が扱う。料金清算センタ用機器４は、例えばサーバであり、料金清算センタに設置される。料金清算センタは、イベントに関する費用の請求・領収・清算等を行う。ネットワーク網５は、例えばインターネット網である。
【００２４】
実施例のイベント実施支援サービスシステムによるイベント実施支援サービスの一例について、図２を用いて説明する。
（ａ）イベント実施を希望する者は、イベントサービスセンタにイベント実施を申込む。
（ｂ）イベントサービスセンタは、イベント実施をＤＢに登録する。
（ｃ）イベントサービスセンタは、イベント実施者にＩＤを割付ける。
（ｄ）イベントサービスセンタは、イベントを実施する。
（ｅ）イベント参加を希望する者は、イベントを参照する。
（ｆ）イベント参加者は、イベント参加を申込む。
（ｇ）イベントサービスセンタは、イベント参加をＤＢに登録する。
（ｈ）イベントサービスセンタは、イベント実施者にイベント参加申込みを通知する。
（ｉ）イベント実施者は、イベント参加者へのお返しを申込む。
（ｊ）イベントサービスセンタは、イベント参加者へお返し送付を送付する。
（ｋ）イベントサービスセンタは、料金清算センタに料金を清算する。
（ｌ）イベントサービスセンタは、イベント実施者及びイベント参加者のリストをＤＢから削除する。
このようにして、イベント実施支援サービスシステムにるイベント実施支援サービスを行うことができる。
【００２５】
実施例におけるイベント実施者による登録時における手順の一例について、図３を用いて説明する。
Ｓ１０１）スタートする。
Ｓ１０２）イベント実施を希望する者は、イベントサービスセンタへイベント実施申込みを行う。
Ｓ１０３）イベント実施者は、イベントサービスセンタへイベント情報の登録を行う。
Ｓ１０４）イベント実施者のパスワード又は自動的に割付けられたＩＤをイベントサービスセンタのＤＢに登録する。
Ｓ１０５）自動割付ＩＤをイベント実施者に通知する。
Ｓ１０６）終了する。
このようにして、イベント実施者による登録時の処理を行うことができる。
【００２６】
実施例におけるイベント参加者の送金申込み時における手順の一例について、図４を用いて説明する。
Ｓ２０１）スタートする。
Ｓ２０２）イベントサービスセンタのＨＰを閲覧する。
Ｓ２０３）イベント参加者は、イベント参加費用の送金を申込む。
Ｓ２０４）申込み内容をイベントサービスセンタのＤＢに登録する。
Ｓ２０５）イベントサービスセンタは、イベント参加者へ申込金の指定振込み先への送金を指示する。
Ｓ２０６）イベント実施者に送金内容を通知する。
Ｓ２０７）終了する。
このようにして、イベント参加者の送金申込み時の処理を行うことができる。
【００２７】
実施例におけるイベント実施者の受領確認時の処理について、図５を用いて説明する。
Ｓ３０１）スタートする。
Ｓ３０２）イベント実施者の端末に送金内容を表示する。
Ｓ３０３）イベント実施者による受領確認によりイベント参加者へ送金受領確認を通知する。
Ｓ３０４）終了する。
このようにして、イベント実施者の受領確認処理を行うことができる。
【００２８】
実施例における返答品送付時の処理について、図６を用いて説明する。
Ｓ４０１）スタートする。
Ｓ４０２）返答品自動送付か判断し、自動送付であるとステップＳ４１１に進み、自動送付ではないとステップＳ４２１に進む。
Ｓ４１１）イベント参加申込金の特定比率に応じた金額の返答品をイベント参加者に送付し、ステップＳ４３１に進む。
Ｓ４２１）イベント参加申込金の特定比率に応じた金額のカタログリストをイベント参加者に送付する。
Ｓ４２２）イベント参加者はカタログリストから返答品を選択指示する。
Ｓ４２３）選択された返答品の送付を指示する。
Ｓ４３１）必要に応じて返答メッセージをイベント参加者に送付する。
Ｓ４３２）終了する。
このようにして、返答品送付時の処理を行うことができる。
【００２９】
実施例における返答品送付時の処理の一例について、図７を用いて説明する。
Ｓ５０１）スタートする。
Ｓ５０２）イベントサービスセンタ用機器は、イベント実施者用口座へ使用料金を請求する。
Ｓ５０３）イベントサービスセンタ用機器は、イベント参加者一覧、申込金一覧、返答品一覧リストを出力する。
Ｓ５０４）イベントサービスセンタ用機器は、イベント実施者及びイベント参加者の情報をＤＢから削除する。
Ｓ５０５）イベントサービスセンタ用機器は、ＨＰから当該イベント情報を削除する。
Ｓ５０６）終了する。
このようにして、返答品送付時の処理を行うことができる。
【００３０】
なお、上記実施例では、イベント実施支援サービスシステム及びイベントサービスセンタ用機器を説明したが、イベント実施者用機器からのイベント実施申込みを受付ける機能、イベント参加者用機器からの参加申込みを受付ける機能及びイベント実施者用機器からのイベント参加者への返答品送付申込みを受付ける機能をコンピュータに実現させるプログラムからなるコンピュータ・ソフトウエアを使用することにより、サーバ等をイベントサービスセンタ用機器とすることができる。
【００３１】
【発明の効果】
本発明によれば、イベント開催やイベント参加の費用や時間等を節約することができるイベント実施支援サービスシステム及びイベントサービスセンタ用機器を得ることができる。
【図面の簡単な説明】
【図１】実施例のイベント実施支援サービスシステムの説明図。
【図２】実施例におけるイベント実施支援サービス処理の一例の説明図。
【図３】実施例におけるイベント実施者登録時の処理の一例の説明図。
【図４】実施例におけるイベント参加者の送金時の処理の一例の説明図。
【図５】実施例におけるイベント実施者の受領確認時の処理の一例の説明図。
【図６】実施例における返答品送付時の処理の一例の説明図。
【図７】実施例におけるイベントサービスセンタの清算処理の一例の説明図。
【符号の説明】
１　イベント実施者用機器、イベント実施者
２　イベントサービスセンタ用機器、イベントサービスセンタ
３　イベント参加者用機器，イベント参加者
４　料金清算センタ用機器
５　ネットワーク網
【図１】
2004118273.tif 000003
【図２】
2004118273.tif 000004
【図３】
2004118273.tif 000005
【図４】
2004118273.tif 000006
【図５】
2004118273.tif 000007
【図６】
2004118273.tif 000008
【図７】
2004118273.tif 000009